(57)【要約】【課題】本考案は、風呂に入浴していないときに、浴槽に適宜温度で充填した湯が冷めないよう、浴槽の開口部を覆う浴槽の蓋にする。【解決手段】合成樹脂１４により形成した浴槽Ａの蓋１１，２１であって、上記合成樹脂１４に、遠赤外線Ｃを高放射するセラジット１５をはじめとする粉状の遠赤外線放射体を混練して形成する、或いは、蓋表面における少なくとも下面２１ａ側に、上記遠赤外線放射体を含有した遠赤外線放射層２３を形成した浴槽Ａの蓋１１，２１。【選択図】図２
0003127123.tif 000002
【実用新案登録請求の範囲】
【請求項１】
合成樹脂により形成した浴槽の蓋であって、
上記合成樹脂に、遠赤外線を高放射する粉状の遠赤外線放射体を混練して形成した
浴槽の蓋。
【請求項２】
蓋表面における少なくとも下面側に、遠赤外線放射体を含有した遠赤外線放射層を形成した
浴槽の蓋。
【請求項３】
上記遠赤外線放射体は、セラジットである
請求項１、又は、請求項２に記載の浴槽の蓋。
【考案の詳細な説明】
【技術分野】
【０００１】
この考案は、風呂に入浴していないときに、浴槽に適宜温度で充填した湯が冷めないよう、浴槽の開口部を覆っておく浴槽の蓋に関する。
【背景技術】
【０００２】
湯が溜まった浴槽に蓋をしておくことで、ある程度の保温効果が期待できるが、さらに保温効果を高めるために例えば、下記特許文献１において「保温風呂蓋」が開示されている。
【０００３】
下記特許文献１によれば、上記「保温風呂蓋」は、風呂蓋の裏面にアルミ二ウムはくを貼ることにより構成される。さらに、上記「保温風呂蓋」に貼ったアルミ二ウムはくにより、上方へ逃げようとした湯の熱を、下方へ反射させることにより、熱が浴槽の蓋を伝導して外側へ逃がさないように作用させることができる旨の開示がなされている。
【０００４】
上述した特許文献１における「保温風呂蓋」を用いることにより、浴槽の蓋の保温性能をある程度は向上させることができるといえなくもないが、このような浴槽の蓋で熱を反射させようとすると、浴槽内で熱の対流が生じてしまうことになる。このため、浴槽の開口部の縁部と蓋との隙間などから熱が逃げるなどして、熱損失の影響が大きくなり、十分な保温効果を得ることが困難になるおそれがある。
【０００５】
ところで、保温効果を得るための他の手段として、遠赤外線効果を利用することは、既に公知である。この遠赤外線効果は、遠赤外線の振動周波数と遠赤外線が放射された物質の固有振動とが共鳴するために温度が上がるという遠赤外線の特性を利用したものである。
【０００６】
【特許文献１】実開昭６１−１８５３９３号公報
【考案の開示】
【考案が解決しようとする課題】
【０００７】
そこで本考案では、このような特性を有する遠赤外線を利用して、より効果的に保温効果を発揮することのできる浴槽の蓋を得ることを目的とする。
【課題を解決するための手段】
【０００８】
本考案における浴槽の蓋は、合成樹脂により形成した浴槽の蓋であって、上記合成樹脂に、遠赤外線を高放射する粉状の遠赤外線放射体を混練して形成したことを特徴とする。
【０００９】
合成樹脂には、例えば、ポリプロピレン（ＰＰ）、アクリロ二トリルブタジエンスチレン共重合体（ＡＢＳ）、ポリスチレン（ＰＳ）、ポリ塩化ビニル（ＰＶＣ）を挙げることができる。
【００１０】
上述したように構成した浴槽の蓋で、浴槽の開口部を覆ったとき、合成樹脂製の蓋に含有したセラジットにより遠赤外線が放射され、浴槽の湯に吸収される。これにより、共鳴吸収現象が生じるため、浴槽の蓋の保温性能を向上させることができる。
【００１１】
殊に、上述した浴槽の蓋は、セラジットを合成樹脂に混練することにより、このような蓋を長期に亘って使用しても、或いは、清掃時にタワシなどで擦ってもセラジットが剥がれ落ちたりしないため、優れた保温性能を持続することができる。
【００１２】
また、本考案の浴槽の蓋は、蓋表面における少なくとも下面側に、遠赤外線放射体を含有した遠赤外線放射層を形成することもできる。  
なお、上記蓋表面の上記下面側とは、浴槽の開口部を蓋で覆った状態で、浴槽の底面と対向する面側を示す。
【００１３】
上述したように、浴槽の蓋の表面における少なくとも下面側に形成される遠赤外線放射層は、例えば、遠赤外線放射体が含有された塗付剤を塗付するだけで形成することができる。このため、セラジットを含有していない既存の蓋や、セラジットを混練することができない例えば、木材などの材質で形成した蓋であっても、遠赤外線放射層を形成することができ、蓋の保温性能を容易に向上させることができる。
【００１４】
上記遠赤外線放射体としては、例えば、セラミックスを挙げることができるが、セラミックスの中でも殊にセラジットであることが好ましい。
【００１５】
上記セラジットは、公知のセラミックス粉末であるが、水などの物質の加熱に最適とされる約４μｍから１５μｍの波長の遠赤外線を、最も効率よく放射し得るセラミックス粉末であるからである。
【００１６】
また、上述した本考案の浴槽の蓋は、遠赤外線を放射するため、公知のとおり殺菌作用も有する。このため、本考案の浴槽の蓋は、通常、湿気の多い風呂場で用いられるが、カビが発生することを防ぐこともでき、衛生的である。
【考案の効果】
【００１７】
本考案の浴槽の蓋は、セラジットをはじめとする遠赤外線放射体が遠赤外線を放射することにより、浴槽内の湯を効果的に保温することができる。
【考案を実施するための最良の形態】
【００１８】
この考案の一実施形態を、以下図面を用いて説明する。  
（第一実施形態）  
第一実施形態における浴槽Ａの蓋１１は、図１（ａ）、及び、（ｂ）に示すように形成している。  
なお、図１（ａ）、及び、（ｂ）は、それぞれ浴槽Ａの蓋１１の要部を拡大して示した平面図、正面図である。
【００１９】
第一実施形態における浴槽Ａの蓋１１の構造は、従来から用いられている既存の浴槽Ａの蓋１１と同様の構成であるため、その詳細な構成の説明は、省略するが、第一実施形態における浴槽Ａの蓋１１は、６枚の合成樹脂製の板体１２を具備して構成している。  
なお、上記板体１２には、中空状に形成した内部空間に適宜、補強部材１２ａ（リブ）が立設されている。
【００２０】
第一実施形態における浴槽Ａの蓋１１は、６枚の板体１２をそれぞれ幅方向に一列に配置するとともに各板体１２の間に連結部材１３を介在させ、この状態で、該連結部材１３を隣接する板体１２に係止するなどして、板体１２どうしを一体に構成している。  
なお、第一実施形態における浴槽Ａの蓋１１は、図示しないが連結部材１３を屈曲させることで折り畳むことができる。
【００２１】
上述した蓋１１を構成する各板体１２は、合成樹脂材料の射出成形により形成している。
【００２２】
具体的に合成樹脂１４には、例えば、アクリロ二トリルブタジエンスチレン共重合体（ＡＢＳ）、ポリプロピレン（ＰＰ）、ポリスチレン（ＰＳ）、ポリ塩化ビニル（ＰＶＣ）を挙げることができる。
【００２３】
さらに、上記板体１２は、射出成形を行う前工程で上記合成樹脂１４全体に、セラジット１５を混練して形成している。
【００２４】
なお、セラジット１５とは、公知のセラミックス粉末であるが水などの物質の加熱に最適とされる４μｍから１５μｍの波長の遠赤外線Ｃを、最も効率よく放射し得る素材として開発された遠赤外線Ｃを高放射するセラミックス粉末である。
【００２５】
さらに、セラジット１５は、１０Åオーダーの超微粒子による優れた遠赤外放射性能、或いは、低温焼結性等の特性を最大限活用するため、既存粒子を担体として、超微粒子を凝集させることなく粉末化したものである。
【００２６】
上述したように構成される蓋１１で、浴槽Ａの開口部Ａａを覆ったとき、まず、金属や通常のセラミックスよりも遠赤外放射性能が高いセラジット１５を含有しているため、該セラジット１５から図２中矢印で示すように遠赤外線Ｃが放射される。  
なお、図２は、浴槽Ａの開口部Ａａを蓋１１で覆った状態の縦断面図であり、蓋１１から遠赤外線Ｃが放射される様子を説明する説明図である。
【００２７】
遠赤外線Ｃは、水に吸収され易く、また、浴槽Ａの湯Ｂ、すなわち、加熱対象物である水分子は、６μｍから１１μｍの波長で伸縮、変角などの振動を行っており、このような湯Ｂに遠赤外線Ｃが吸収されることにより、水分子の振動は、一層激しくなる。このような共鳴吸収現象が生じるため、浴槽Ａの湯Ｂの温度が上昇することになる。
【００２８】
これにより、第一実施形態における浴槽Ａの蓋１１は、保温効果を発揮することができる。実際には、浴槽Ａや蓋１１自体がある程度の熱伝導性を有しているため、当然、浴槽Ａ中の湯Ｂの熱損失を完全に阻止することは不可能であるといえるが、このような熱損失の影響を考慮しても、上述した第一実施形態における浴槽Ａの蓋１１の保温性能の向上により、結果的に浴槽Ａの湯Ｂの温度が殆ど低下せず、本考案における浴槽Ａの蓋１１は、優れた保温性能を発揮することができる。
【００２９】
なお、目安として、セラジット１５を含有していない合成樹脂材料のみで形成した既存の蓋１１を用いた場合、湯Ｂの温度は、３時間で３℃程度降下する条件のもとで、第一実施形態における浴槽Ａの蓋１１を用いた場合、湯Ｂの温度を１℃の降下にまで留めることができ、優れた保温性能を発揮することができる。
【００３０】
しかも、第一実施形態における浴槽Ａの蓋１１は、保温効果を得るために、電源や電池、或いは、ヒータなどの熱源を具備する必要もないため、漏電などのおそれもなく安全であり、半永久的に使用することができる。
【００３１】
殊に、第一実施形態における浴槽Ａの蓋１１のように、セラジット１５は、蓋１１の略全体を占める板体１２を構成する合成樹脂１４に混練されているため、蓋１１の略全体から遠赤外線Ｃを放射することができ、優れた保温効果を発揮することができる。
【００３２】
また、セラジット１５は、合成樹脂１４に混練することで蓋１１体に含有されているため、長期に亘って使用しても、セラジット１５が剥がれ落ちたりしないため、優れた保温性能を発揮することができる。
【００３３】
また、遠赤外線Ｃは、抗菌作用、抗カビ作用も有するため、浴槽Ａの蓋１１を衛生面で良好な状態に保つことができる。
【００３４】
本考案における浴槽Ａの蓋は、上述した第一実施形態の構成に限定せず、様々な形態により構成することができる。  
以下では、第二実施形態における浴槽Ａの蓋２１について説明するが、第一実施形態における浴槽Ａの蓋１１と同様の形態については、同一の符号を付してその説明を省略する。  
（第二実施形態）  
第二実施形態における浴槽Ａの蓋２１は、図３に示すように形成している。  
なお、図３は、第二実施形態の蓋２１の要部を拡大して示した断面図である。
【００３５】
具体的に、第二実施形態における浴槽Ａの蓋２１を構成する板体２２は、合成樹脂１４にセラジット１５を混練せずに形成している。このような６枚の板体２２を、第一実施形態と同様の構造で一体に構成している。
【００３６】
さらに、このように構成した浴槽Ａの蓋２１の下面２１ａには、セラジット１５を含有した塗付剤を塗付することにより、遠赤外線放射層２３を形成している。  
なお、上記塗付剤は、公知の硬化剤や着色剤を適宜、添加したものを用いることができる。
【００３７】
浴槽Ａの蓋２１の下面２１ａは、蓋２１で浴槽Ａの開口部Ａａを覆ったとき、浴槽Ａに溜まった湯Ｂと対向した状態となり、湯Ｂに対して蓋２１の下面２１ａに形成した遠赤外線放射層２３から遠赤外線Ｃが放射される。このため、第二実施形態における浴槽Ａの蓋２１も第一実施形態と同様に、いわゆる共鳴吸収現象が生じるため、優れた保温効果を発揮することができる。
【００３８】
その他にも、第二実施形態における浴槽Ａの蓋２１が奏する特有の効果として、蓋２１表面に、基本的にセラジット１５を含有した塗付剤を塗付するだけよいため、セラジット１５を含有しないで形成した既存の蓋２１であっても、蓋２１の保温性能を容易に向上させることができるといった効果を得ることができる。
【００３９】
また、本考案の浴槽Ａの蓋２１の他の実施形態として、上記遠赤外線放射層２３は、浴槽Ａの蓋２１の下面２１ａに、塗布剤を塗付して構成するに限らず、セラジット１５を含有した溶液をスプレー状に吹き付けたり、テープ状の部材を添着したりして構成してもよい。
【００４０】
また、本考案の浴槽Ａの蓋は、セラジット１５を含有して構成した第一実施形態の蓋１１の下面２１ａに、上記遠赤外線放射層２３を形成した形態であってもよい。
【００４１】
これにより、第一実施形態の蓋１１の保温性能を、さらに向上させることができる。
【００４２】
このように本考案の浴槽Ａの蓋は、上述した実施形態のみに限定されるものではなく、多くの実施形態を得ることができる。
【図面の簡単な説明】
【００４３】
【図１】第一実施形態における浴槽の蓋の平面図（ａ）、及び、正面図（ｂ）。
【図２】第一実施形態における浴槽の蓋の作用説明図。
【図３】第二実施形態における浴槽の蓋の説明図。
【符号の説明】
【００４４】
１１，２１…蓋
２１ａ…蓋の下面
１４…合成樹脂
１５…セラジット
２３…遠赤外線放射層
Ａ…浴槽
Ｂ…湯
Ｃ…遠赤外線
【図１】
0003127123.tif 000003
【図２】
0003127123.tif 000004
【図３】
0003127123.tif 000005
【手続補正書】
【提出日】平成18年9月26日(2006.9.26)
【手続補正１】
【補正対象書類名】実用新案登録請求の範囲
【補正対象項目名】全文
【補正方法】変更
【補正の内容】
【実用新案登録請求の範囲】
【請求項１】
全体を、浴槽の開口部を覆うことのできる大きさの有する板状体により形成し、
上記板状体は、遠赤外線を高放射する粉状の遠赤外線放射体を混練した合成樹脂材料を有して形成した
浴槽の蓋。
【請求項２】
蓋表面における少なくとも下面側に、遠赤外線放射体を含有した遠赤外線放射層を形成した
浴槽の蓋。
【請求項３】
上記遠赤外線放射体は、４μｍから１５μｍの波長の遠赤外線を高放射し、超微粒子を凝集させることなく粉末化したセラミックス粉末である
請求項１、又は、請求項２に記載の浴槽の蓋。
【手続補正２】
【補正対象書類名】明細書
【補正対象項目名】全文
【補正方法】変更
【補正の内容】
【考案の詳細な説明】
【技術分野】
【０００１】
この考案は、風呂に入浴していないときに、浴槽に適宜温度で充填した湯が冷めないよう、浴槽の開口部を覆っておく浴槽の蓋に関する。
【背景技術】
【０００２】
湯が溜まった浴槽に蓋をしておくことで、ある程度の保温効果が期待できるが、さらに保温効果を高めるために例えば、下記特許文献１において「保温風呂蓋」が開示されている。
【０００３】
下記特許文献１によれば、上記「保温風呂蓋」は、風呂蓋の裏面にアルミ二ウムはくを貼ることにより構成される。さらに、上記「保温風呂蓋」に貼ったアルミ二ウムはくにより、上方へ逃げようとした湯の熱を、下方へ反射させることにより、熱が浴槽の蓋を伝導して外側へ逃がさないように作用させることができる旨の開示がなされている。
【０００４】
上述した特許文献１における「保温風呂蓋」を用いることにより、浴槽の蓋の保温性能をある程度は向上させることができるといえなくもないが、このような浴槽の蓋で熱を反射させようとすると、浴槽内で熱の対流が生じてしまうことになる。このため、浴槽の開口部の縁部と蓋との隙間などから熱が逃げるなどして、熱損失の影響が大きくなり、十分な保温効果を得ることが困難になるおそれがある。
【０００５】
ところで、保温効果を得るための他の手段として、遠赤外線効果を利用することは、既に公知である。この遠赤外線効果は、遠赤外線の振動周波数と遠赤外線が放射された物質の固有振動とが共鳴するために温度が上がるという遠赤外線の特性を利用したものである。
【０００６】
【特許文献１】実開昭６１−１８５３９３号公報
【考案の開示】
【考案が解決しようとする課題】
【０００７】
そこで本考案では、このような特性を有する遠赤外線を利用して、より効果的に保温効果を発揮することのできる浴槽の蓋を得ることを目的とする。
【課題を解決するための手段】
【０００８】
本考案における浴槽の蓋は、全体を、浴槽の開口部を覆うことのできる大きさの有する板状体により形成し、上記板状体は、遠赤外線を高放射する粉状の遠赤外線放射体を混練した合成樹脂材料を有して形成したことを特徴とする。
【０００９】
上記合成樹脂材料には、遠赤外線を高放射する粉状の遠赤外線放射体を混練した例えば、ポリプロピレン（ＰＰ）、アクリロ二トリルブタジエンスチレン共重合体（ＡＢＳ）、ポリスチレン（ＰＳ）、ポリ塩化ビニル（ＰＶＣ）を挙げることができる。
【００１０】
上記遠赤外線放射体は、４μｍから１５μｍの波長の遠赤外線Ｃを高放射し、超微粒子を凝集させることなく粉末化したセラミックスであることことが好ましい。
【００１１】
上記粉末化したセラミックスには、例えば、セラジットを挙げることができる。  
上述したように構成した浴槽の蓋で、浴槽の開口部を覆ったとき、合成樹脂製の蓋に含有した上記セラジットにより遠赤外線が放射され、浴槽の湯に吸収される。これにより、共鳴吸収現象が生じるため、浴槽の蓋の保温性能を向上させることができる。
【００１２】
殊に、上述した浴槽の蓋は、セラジットを合成樹脂に混練することにより、このような蓋を長期に亘って使用しても、或いは、清掃時にタワシなどで擦ってもセラジットが剥がれ落ちたりしないため、優れた保温性能を持続することができる。
【００１３】
また、本考案の浴槽の蓋は、蓋表面における少なくとも下面側に、遠赤外線放射体を含有した遠赤外線放射層を形成することもできる。  
なお、上記蓋表面の上記下面側とは、浴槽の開口部を蓋で覆った状態で、浴槽の底面と対向する面側を示す。
【００１４】
上述したように、浴槽の蓋の表面における少なくとも下面側に形成される遠赤外線放射層は、例えば、遠赤外線放射体が含有された塗付剤を塗付するだけで形成することができる。このため、セラジットを含有していない既存の蓋や、セラジットを混練することができない例えば、木材などの材質で形成した蓋であっても、遠赤外線放射層を形成することができ、蓋の保温性能を容易に向上させることができる。
【００１５】
上記遠赤外線放射体としては、例えば、セラミックスを挙げることができるが、セラミックスの中でも殊にセラジットであることが好ましい。
【００１６】
上記セラジットは、公知のセラミックス粉末であるが、水などの物質の加熱に最適とされる約４μｍから１５μｍの波長の遠赤外線を、最も効率よく放射し得るセラミックス粉末であるからである。
【００１７】
また、上述した本考案の浴槽の蓋は、遠赤外線を放射するため、公知のとおり殺菌作用も有する。このため、本考案の浴槽の蓋は、通常、湿気の多い風呂場で用いられるが、カビが発生することを防ぐこともでき、衛生的である。
【考案の効果】
【００１８】
本考案の浴槽の蓋は、セラジットをはじめとする遠赤外線放射体が遠赤外線を放射することにより、浴槽内の湯を効果的に保温することができる。
【考案を実施するための最良の形態】
【００１９】
この考案の一実施形態を、以下図面を用いて説明する。  
（第一実施形態）  
第一実施形態における浴槽Ａの蓋１１は、図１（ａ）、及び、（ｂ）に示すように形成している。  
なお、図１（ａ）、及び、（ｂ）は、それぞれ浴槽Ａの蓋１１の要部を拡大して示した平面図、正面図である。
【００２０】
第一実施形態における浴槽Ａの蓋１１の構造は、従来から用いられている既存の浴槽Ａの蓋１１と同様の構成であるため、その詳細な構成の説明は、省略するが、第一実施形態における浴槽Ａの蓋１１は、６枚の合成樹脂製の板体１２を具備して構成している。  
なお、上記板体１２には、中空状に形成した内部空間に適宜、補強部材１２ａ（リブ）が立設されている。
【００２１】
第一実施形態における浴槽Ａの蓋１１は、６枚の板体１２をそれぞれ幅方向に一列に配置するとともに各板体１２の間に連結部材１３を介在させ、この状態で、該連結部材１３を隣接する板体１２に係止するなどして、板体１２どうしを一体に構成している。  
なお、第一実施形態における浴槽Ａの蓋１１は、図示しないが連結部材１３を屈曲させることで折り畳むことができる。
【００２２】
上述した蓋１１を構成する各板体１２は、合成樹脂材料の射出成形により形成している。
【００２３】
具体的に合成樹脂１４には、例えば、アクリロ二トリルブタジエンスチレン共重合体（ＡＢＳ）、ポリプロピレン（ＰＰ）、ポリスチレン（ＰＳ）、ポリ塩化ビニル（ＰＶＣ）を挙げることができる。
【００２４】
さらに、上記板体１２は、射出成形を行う前工程で上記合成樹脂１４全体に、セラジット１５を混練して形成している。
【００２５】
なお、セラジット１５とは、公知のセラミックス粉末であるが水などの物質の加熱に最適とされる４μｍから１５μｍの波長の遠赤外線Ｃを、最も効率よく放射し得る素材として開発された遠赤外線Ｃを高放射するセラミックス粉末である。
【００２６】
さらに、セラジット１５は、１０Åオーダーの超微粒子による優れた遠赤外放射性能、或いは、低温焼結性等の特性を最大限活用するため、既存粒子を担体として、超微粒子を凝集させることなく粉末化したものである。
【００２７】
上述したように構成される蓋１１で、浴槽Ａの開口部Ａａを覆ったとき、まず、金属や通常のセラミックスよりも遠赤外放射性能が高いセラジット１５を含有しているため、該セラジット１５から図２中矢印で示すように遠赤外線Ｃが放射される。  
なお、図２は、浴槽Ａの開口部Ａａを蓋１１で覆った状態の縦断面図であり、蓋１１から遠赤外線Ｃが放射される様子を説明する説明図である。
【００２８】
遠赤外線Ｃは、水に吸収され易く、また、浴槽Ａの湯Ｂ、すなわち、加熱対象物である水分子は、６μｍから１１μｍの波長で伸縮、変角などの振動を行っており、このような湯Ｂに遠赤外線Ｃが吸収されることにより、水分子の振動は、一層激しくなる。このような共鳴吸収現象が生じるため、浴槽Ａの湯Ｂの温度が上昇することになる。
【００２９】
これにより、第一実施形態における浴槽Ａの蓋１１は、保温効果を発揮することができる。実際には、浴槽Ａや蓋１１自体がある程度の熱伝導性を有しているため、当然、浴槽Ａ中の湯Ｂの熱損失を完全に阻止することは不可能であるといえるが、このような熱損失の影響を考慮しても、上述した第一実施形態における浴槽Ａの蓋１１の保温性能の向上により、結果的に浴槽Ａの湯Ｂの温度が殆ど低下せず、本考案における浴槽Ａの蓋１１は、優れた保温性能を発揮することができる。
【００３０】
なお、目安として、セラジット１５を含有していない合成樹脂材料のみで形成した既存の蓋１１を用いた場合、湯Ｂの温度は、３時間で３℃程度降下する条件のもとで、第一実施形態における浴槽Ａの蓋１１を用いた場合、湯Ｂの温度を１℃の降下にまで留めることができ、優れた保温性能を発揮することができる。
【００３１】
しかも、第一実施形態における浴槽Ａの蓋１１は、保温効果を得るために、電源や電池、或いは、ヒータなどの熱源を具備する必要もないため、漏電などのおそれもなく安全であり、半永久的に使用することができる。
【００３２】
殊に、第一実施形態における浴槽Ａの蓋１１のように、セラジット１５は、蓋１１の略全体を占める板体１２を構成する合成樹脂１４に混練されているため、蓋１１の略全体から遠赤外線Ｃを放射することができ、優れた保温効果を発揮することができる。
【００３３】
また、セラジット１５は、合成樹脂１４に混練することで蓋１１体に含有されているため、長期に亘って使用しても、セラジット１５が剥がれ落ちたりしないため、優れた保温性能を発揮することができる。
【００３４】
また、遠赤外線Ｃは、抗菌作用、抗カビ作用も有するため、浴槽Ａの蓋１１を衛生面で良好な状態に保つことができる。
【００３５】
本考案における浴槽Ａの蓋は、上述した第一実施形態の構成に限定せず、様々な形態により構成することができる。  
以下では、第二実施形態における浴槽Ａの蓋２１について説明するが、第一実施形態における浴槽Ａの蓋１１と同様の形態については、同一の符号を付してその説明を省略する。  
（第二実施形態）  
第二実施形態における浴槽Ａの蓋２１は、図３に示すように形成している。  
なお、図３は、第二実施形態の蓋２１の要部を拡大して示した断面図である。
【００３６】
具体的に、第二実施形態における浴槽Ａの蓋２１を構成する板体２２は、合成樹脂１４にセラジット１５を混練せずに形成している。このような６枚の板体２２を、第一実施形態と同様の構造で一体に構成している。
【００３７】
さらに、このように構成した浴槽Ａの蓋２１の下面２１ａには、セラジット１５を含有した塗付剤を塗付することにより、遠赤外線放射層２３を形成している。  
なお、上記塗付剤は、公知の硬化剤や着色剤を適宜、添加したものを用いることができる。
【００３８】
浴槽Ａの蓋２１の下面２１ａは、蓋２１で浴槽Ａの開口部Ａａを覆ったとき、浴槽Ａに溜まった湯Ｂと対向した状態となり、湯Ｂに対して蓋２１の下面２１ａに形成した遠赤外線放射層２３から遠赤外線Ｃが放射される。このため、第二実施形態における浴槽Ａの蓋２１も第一実施形態と同様に、いわゆる共鳴吸収現象が生じるため、優れた保温効果を発揮することができる。
【００３９】
その他にも、第二実施形態における浴槽Ａの蓋２１が奏する特有の効果として、蓋２１表面に、基本的にセラジット１５を含有した塗付剤を塗付するだけよいため、セラジット１５を含有しないで形成した既存の蓋２１であっても、蓋２１の保温性能を容易に向上させることができるといった効果を得ることができる。
【００４０】
また、本考案の浴槽Ａの蓋２１の他の実施形態として、上記遠赤外線放射層２３は、浴槽Ａの蓋２１の下面２１ａに、塗布剤を塗付して構成するに限らず、セラジット１５を含有した溶液をスプレー状に吹き付けたり、テープ状の部材を添着したりして構成してもよい。
【００４１】
また、本考案の浴槽Ａの蓋は、セラジット１５を含有して構成した第一実施形態の蓋１１の下面２１ａに、上記遠赤外線放射層２３を形成した形態であってもよい。
【００４２】
これにより、第一実施形態の蓋１１の保温性能を、さらに向上させることができる。
【００４３】
このように本考案の浴槽Ａの蓋は、上述した実施形態のみに限定されるものではなく、多くの実施形態を得ることができる。
【図面の簡単な説明】
【００４４】
【図１】第一実施形態における浴槽の蓋の平面図（ａ）、及び、正面図（ｂ）。
【図２】第一実施形態における浴槽の蓋の作用説明図。
【図３】第二実施形態における浴槽の蓋の説明図。
【符号の説明】
【００４５】
１１，２１…蓋
２１ａ…蓋の下面
１４…合成樹脂
１５…セラジット
２３…遠赤外線放射層
Ａ…浴槽
Ｂ…湯
Ｃ…遠赤外線